(57)【要約】【課題】薬の服用を管理し、服用忘れや二重服用を防止するとともに、製造コストが低く、また使用が容易な薬の服用管理具を提供する。【解決手段】厚紙等の台紙１上に日時を表示する日時表示部３を印刷し、またこの日時表示部３に対応した位置５に形成された少なくとも一対の互いに反対方向に傾斜した保持スリット部６ａ、６ｂを形成する。分離したＰＴＰシート７の錠剤収容部９の周囲の薄板状の部分８を保持スリット部６ａ、６ｂに差し込んで保持させ、ＰＴＰシート７を服用すべき日時と対応させて保持する。【選択図】    図１
2007202968.tif 000002
【特許請求の範囲】
【請求項１】
弾性を有するシート材からなる台紙を備え、この台紙に表示された薬を服用すべき日時を表示する日時表示部と、この日時表示部に対応した位置に形成された互いに反対方向に傾斜した少なくとも一対の保持スリット部とを備え、これら保持スリット部に分離された薬のプッシュスルーパッケージの両側隅部を挟持させることを特徴とする薬の服用管理具。
【請求項２】
上記の少なくとも一対の保持スリット部の間隔は、２錠分ずつに分離されたプッシュスルーパッケージを保持できる間隔に設定されており、上記の日時表示部は分離されたプッシュスルーパッケージの各錠剤収容部ごとに対応するように表示されていることを特徴とする請求項１の薬の服用管理具。
【請求項３】
上記の少なくとも一対の保持スリット部の間隔は、１錠分ずつに分離されたプッシュスルーパッケージを保持できる間隔に設定されており、上記の日時表示部は分離された各プッシュスルーパッケージごとに対応するように表示されていることを特徴とする請求項１の薬の服用管理具。
【請求項４】
上記の日時表示部は、空欄であり、使用時に薬の服用日時に対応して日時を印字または記入可能であることを特徴とする請求項１ないし３の薬の服用管理具。
【請求項５】
上記の少なくとも一対の保持スリットは、上記のシート材の台紙に形成された切込みであることを特徴とする請求項１ないし４の薬の服用管理具。
【請求項６】
上記の少なくとも一対の保持スリットは、上記のシート材の台紙に形成された細長い隙間状のものであることを特徴とする請求項１ないし４の薬の服用管理具。
【請求項７】
上記の少なくとも一対の保持スリットは、それらの下端部が連続していることを特徴とする請求項１ないし６の薬の服用管理具。
【発明の詳細な説明】
【技術分野】
【０００１】
本発明は、薬の服用日時を管理する管理具であって、さらに特定すればプッシュスルーパッケージ（ＰＴＰ）包装された錠剤、カプセル等の服用日時が容易に把握できるとともに使用が簡単で低コストで製造できる薬の服用管理具に関する。
【背景技術】
【０００２】
一般に、医療機関から処方される薬は、毎日、または所定時間ごとに服用日時を指定して処方される場合が多い。しかし、長い期間にわたって薬を服用するような場合に、薬の服用を忘れたり、また服用したことを忘れて二重に服用することがある。このような薬の服用忘れ、または二重服用は服用者に悪影響を与えるので、これを防止する各種の器具が開発されているが、構造が複雑でコスト高であり、また使用に際して操作、取り扱いが煩雑なものが多く、低いコストで簡単に製造可能なものが要望されている。
【０００３】
たとえば、特許文献１には、カレンダー状の台紙に日付に対応して複数の袋状の薬収納部を設け、これらの薬収納部に薬を収容しておき、薬の服用忘れや二重服用を防止するものがある。しかし、このようなものは、やはり製造にコストが掛かり、また使用の際の手間が煩雑である。
【０００４】
また、特許文献２に示すものは、カレンダーの表面に粘着層を形成し、ここにメモ等を貼り付け保持させるものである。このものは、このカレンダーの日付に対応して薬を貼り付けておけば、薬の服用忘れ、二重服用は防止できると思われるが、粘着層を形成するにはコストが掛かる。
【０００５】
また、特許文献３に示すものは、ＰＴＰシートを収容できる折り畳み形の台紙を備え、この台紙にＰＴＰシートの錠剤収容部に対応して日付等を表示したものである。
しかし、このものは、製造にコストが掛かるとともに、日付の表示が一日目、二日目、としか表示できず、何日目かを忘れてしまえば、服用忘れ、二重服用を確実に防止することはできない。
【特許文献１】特開２００１−２５８９９９号公報
【特許文献２】実開昭６４−２７２６４号公報
【特許文献３】特開２００１−７０４０４号公報
【発明の開示】
【発明が解決しようとする課題】
【０００６】
本発明は以上の事情に基づいてなされたもので、薬の服用忘れや二重服用を確実に防止できるとともに、構造が簡単で低いコストで製造でき、また使用も簡単な薬の服用管理具を提供するものである。
【課題を解決するための手段】
【０００７】
請求項１に記載の本発明は、厚紙等の弾性を有するシート材からなる台紙を備え、この台紙上に表示された薬を服用すべき日時、たとえば何月何日との暦日や服用時刻等を表示する日時表示部と、この日時表示部に対応した位置に形成された互いに反対方向に傾斜した少なくとも一対の保持スリット部とを備え、これら保持スリット部に分離された薬のプッシュスルーパッケージの両側隅部を差し込んで挟持させるものである。
【０００８】
請求項２に記載の本発明は、上記の少なくとも一対の保持スリット部の間隔は、２錠分ずつに分離されたプッシュスルーパッケージを保持できる間隔に設定されており、上記の日時表示部は分離されたプッシュスルーパッケージの各錠剤収容部ごとに対応するように表示されているものである。
【０００９】
請求項３に記載の本発明は、上記の少なくとも一対の保持スリット部の間隔は、１錠分ずつに分離されたプッシュスルーパッケージを保持できる間隔に設定されており、上記の日時表示部は分離された各プッシュスルーパッケージごとに対応するように表示されているものである。
【００１０】
請求項４に記載の本発明は、上記の日時表示部は、空欄であり、使用時に薬の服用日時に対応して日時を印字または記入するものである。
【００１１】
請求項５に記載の本発明は、上記の少なくとも一対の保持スリットは、上記のシート材の台紙に形成された切込みである。
【００１２】
請求項６に記載された本発明は、上記の少なくとも一対の保持スリットは、上記のシート材の台紙に形成された細長い隙間状のものである。
【００１３】
請求項７に記載された本発明は、上記の少なくとも一対の保持スリットは、それらの下端部が連続しているものである。
【発明の効果】
【００１４】
請求項１の薬の服用管理具は、厚紙等の台紙上に日時を表示する日時表示部を印刷、印字または記入し、またこの日時表示部に対応した位置に形成された少なくとも一対の互いに反対方向に傾斜した保持スリット部を形成しただけのものであり、構造が簡単である。また厚紙等の台紙への印刷、保持スリット部の形成は、従来のボール箱その他の厚紙製品の加工の製造設備をそのまま使用でき、極めて安価に製造できる。
【００１５】
また、プッシュスルーパッケージすなわちＰＴＰシートは、透明なプラスチックシートに錠剤等を収容する円形または楕円形の凸状の錠剤収容部を形成し、錠剤等をこの収容部内に収容し、裏面をアルミ箔などでシールしたものであり、最近ではほとんどの錠剤またはカプセルはこのＰＴＰ包装されている。このＰＴＰシートを分離すると、上記の収容部の周囲に薄板状の部分が形成されるので、この部分の下側両隅部を上記の保持スリットに差し込めば、このＰＴＰシートは容易かつ確実に台紙上に保持され、逆さにして振っても脱落しない。また、これら保持スリット部は互いに反対方向に傾斜したＶ字状に配置されているので、分離したＰＴＰシートの寸法が異なっていても差し込むことができる。
【００１６】
したがって、台紙上に表示された日時、たとえば暦日と対応した位置に分離されたＰＴＰシートの薬が保持されているので、その日に薬を服用したか否かが一目瞭然であり、薬の服用忘れ、二重服用が確実に防止される。
【００１７】
また、請求項２に記載の薬の服用管理具は、上記の少なくとも一対の保持スリット部の間隔は、２錠分ずつに分離されたＰＴＰシートを保持する間隔に設定されており、上記の日時表示部は分離されたＰＴＰシートの各錠剤収容部ごとに対応するように表示されているので、使用に便利でまた誤飲も防止できる。
【００１８】
すなわち、通常のＰＴＰ包装は、１４錠、１０錠の２列のシート状である。このＰＴＰシートを１錠ずつに細かく切断してしまうと、高齢者等はこの細分されたＰＴＰシートごと飲み込んでしまう場合がある。このような誤飲を防止するために、最近のＰＴＰシートは２錠分ずつにしか分離できないようにミシン目を入れているが、鋏で１錠分ずつに切断してしまう服用者も多い。
【００１９】
したがって、２錠分ずつに分離されたＰＴＰシートしか保持できないようにしておけば、ＰＴＰシートを１錠分ずつに細かく切断しても、この細分されたＰＴＰシートは上記の保持スリットの片側にしか挿入できず、不安定で保持ができない。したがって、鋏を使わずにもミシン目に沿って２錠分ずつに分離すれば、そのまま保持スリットに差し込むことができ、使用が簡単で、また薬の服用者は、２錠分ずつに分離する習慣ができるため、上述のような誤飲が防止できる。
【００２０】
請求項３に記載の薬の服用管理具は、上記の少なくとも一対の保持スリット部の間隔は、１錠分ずつに分離されたＰＴＰシートを保持できる間隔に設定されており、上記の日時表示部は分離された各ＰＴＰシートごとに対応するように表示されているので、日時たとえば暦日と、切断されたＰＴＰシートとの対応がより明瞭であり、服用忘れ、二重服用がより確実に防止できる。また毎日と隔日に服用する薬を併用しているような場合にも使用することができ便利である。この請求項３のものは、然るべき注意力を有し、ＰＴＰシートごと飲み込むような誤飲の可能性の無い服用者には便利である。
【００２１】
請求項４に記載の薬の服用管理具は、上記の日時表示部は、空欄であり、使用時に薬の服用日時に対応して日時を印字または記入する。したがって、特別な服用の場合、たとえば所定時間間隔で服用する場合に、服用すべき日付と時刻をこの空欄に印字または記入しておけば便利である。
【００２２】
請求項５に記載の薬の服用管理具は、上記の少なくとも一対の保持スリットは、上記のシート材の台紙に形成された切込みであるので、製造コストが低く、また隙間なしのスリットでＰＴＰシートの縁を挟み込むので保持力が強い。
【００２３】
請求項６に記載された薬の服用管理具は、上記の少なくとも一対の保持スリットは、上記のシート材の台紙に形成された細長い隙間状のものであるので、分離されたＰＴＰシートの縁部を差し込むのが容易である。
【００２４】
請求項７に記載された薬の服用管理具は、上記の少なくとも一対の保持スリットは、それらの下端部が連続しているので、ＰＴＰシートの下縁が保持スリットの下端部よりさらに下方にもぐりこみ、錠剤の収容部がこの連続部分に当たるまで深く挿入でき、分離されたＰＴＰシートの保持部分の面積を節減できる。
【発明を実施するための最良の形態】
【００２５】
以下、図を参照して本発明の実施形態を説明する。図１ないし図４には本発明の第１の実施形態を説明する。この実施形態のものは、２錠分ずつに切り離されたＰＴＰシートを保持するものである。
【００２６】
図中の１は台紙であって、この台紙１は弾性を有するシート材、たとえばある程度の腰のある厚紙、プラスチックシート、その他の材料で形成されている。そして、この台紙１の上部中央には掛け孔２が形成され、フック等に引っ掛けて吊り下げられるように構成されている。
【００２７】
また、この台紙１には、日時表示部３が形成されている。この実施形態の場合には、この日時表示部３は８個あり、横方向に配列されている。この実施形態の場合には、この日時表示部には暦日、すなわち月、日および曜日が予め印刷されている。そして、これらの日時表示部は、格子状の枠線４で囲まれ、各日時表示部３と、これらに対応してＰＴＰシートを保持すべき部分である保持部５とが明確に関連付けられている。
【００２８】
そして、各日時表示部３の下方に対応した枠線４内の保持部５には、対をなす保持スリット部６ａ、６ｂが形成されている。この実施形態の場合には、保持スリット部６ａ、６ｂは上下方向に並んだ５対のものが形成されており、５個のＰＴＰシートが保持可能となっている。そして、この実施形態の場合、対をなす保持スリット部６ａ、６ｂは、隣接する２つの保持部５にまたがって形成されている。
【００２９】
上記の保持スリット部６ａ、６ｂは、図２示すように、互いに反対方向に傾斜した直線状の切り込みであり、互いに上方に広がった谷状に配置されている。そして、図３に示すように、２錠ずつに分割されたＰＴＰシート７の凸状の錠剤収容部９の周囲に形成される薄板状の部分９の両側下隅部が、これら保持スリット部６ａ、６ｂ内に差し込まれる。これによって、このＰＴＰシート７は、この保持部５に保持される。このＰＴＰシート７は、台紙１の弾性によって両側を挟持され、台紙１を逆さにして振っても脱落しない。また、これら対をなす保持スリット部６ａ、６ｂは互いに反対方向に傾斜した谷状に配置されているので、分離したＰＴＰシート７の寸法が各種相違していても支障なく挿入することができる。
【００３０】
また、この台紙１の余白を利用して、この薬の服用管理具の名称１０、年の表示１１、薬の服用に関する注意事項等の表示１２、この薬の服用管理具を調剤薬局で薬とともに配布する場合には薬局名等の表示１３が印刷されている。また、各対をなす保持スリット部６ａ，６ｂの一部または全部の部分には、ＰＴＰシートの差し込み方を示すために、ＰＴＰシートを差し込んだ状態を模した絵柄１４が印刷されている。
【００３１】
この薬の服用管理具を使用する場合には、ＰＴＰシートをミシン目に沿って２錠分ずつに分割し、この分割したＰＴＰシート７を図４に示すように、服用日時に対応するように上記の保持スリット部６ａ、６ｂに差し込んで保持させる。一日に服用すべき薬の数が複数の場合でも、最大５個のＰＴＰシートまで保持できる。この２錠ずつに分割されたＰＴＰシート７は隣接する２つの保持部５すなわち２日分の保持部５にわたって保持される。したがって、この２錠分に分割されたＰＴＰシート７の２つの錠剤収容部９はそれぞれ２つの日時表示部３に対応した保持部５に位置する。
【００３２】
よって、ＰＴＰシート７を保持させたこの薬の服用管理具を壁等に掛けておけば、その日に服用すべき薬、あるいはその日に服用すべき薬が服用されているか、まだ服用されていないか、等が一目瞭然となる。したがって、薬の服用忘れ、二重服用が確実に防止される。
【００３３】
この実施形態のものは、持ち運びの便宜のため、台紙１の寸法を小さく設定してあり、８日分の薬しか保持できないが、８日分以上の薬を服用する場合には、日付の連続した複数枚の服用管理具を用意しておき、これらにＰＴＰシートを保持させ、壁等に重ねて掛けておけばよい。
【００３４】
なお、前述のように、ＰＴＰシートを１錠ずつに切り離すと、高齢者等ではこのＰＴＰシート包装ごと飲み込んでしまう誤飲の例があり、これを防止するため、最近のＰＴＰシートでは２錠ずつにしか切り離せないようにミシン目を入れている。よって、この薬の服用管理具を用いれば、鋏などを使用せずに、ＰＴＰシートを手のみでミシン目に沿って２錠分ずつに分割し、この薬の服用管理具に差し込んで服用を管理できるので、簡単に使用することができる。また、ＰＴＰシートを１錠ずつに細かく切断した場合には、この保持スリット部６ａ、６ｂの片側にしか挿入できないので、保持が不安定で使用できない。このようにして、高齢者等の場合でもこの薬の服用管理具を使用することによって、ＰＴＰシートを２錠ずつに分割する習慣がつけば、上述のような誤飲を防止できる。
【００３５】
また、空になったＰＴＰシートを捨てずにこの薬の服用管理具に差し込んでおけば、過去の服用の状態が一目で判別でき、また後に空のＰＴＰシートをプラスチックごみとして一括して分別廃棄するのに便利である。
【００３６】
また、図５ないし図７には本発明の第２の実施形態を示す。この実施形態のものは、１錠ずつに分離したＰＴＰシート７を保持させるもので、一週間分すなわち７個の日時表示部３、枠線４、保持部５等を備え、これらの構成その他は前記の第１の実施形態のものと同様で、対応する部分には同じ符号を付してその説明は省略する。
【００３７】
この実施形態のものは、各日時表示部３に対応した各保持部５内にそれぞれ対をなす保持スリット部２６ａ、２６ｂが形成されている。これらの保持スリット部２６ａ、２６ｂは前述の実施形態と同様に、互いに反対方向に傾斜した上方に開いた谷状に配置された切込みである。この保持スリット部２６ａ、２６ｂの間隔は、図６に示すように、１錠ずつに分割されたＰＴＰシート２７の両側下隅部を差し込んで挟持して保持するように構成されている。これらの保持スリット部２６ａ、２６ｂは、一日分の保持部５に上下方向に５対形成されており、一日分で最大５個の分割されたＰＴＰシート２７を保持できるように構成されている。
【００３８】
この実施形態のものは、ＰＴＰシートを１錠ずつに切断し、切断した各ＰＴＰシートを図７に示すように各日時表示部３の各保持部５ごとに１個ずつ挟んで保持させる。各日付ごとに１個ずつのＰＴＰシート２７が保持されるので、薬の服用をより明確に管理することができる。また、たとえば毎日服用する薬と、隔日に服用する薬を併用する場合等、変則的な服用の場合にも便利である。
【００３９】
また、図８には本発明の第３の実施形態を示す。このものは、日時表示部３３が空欄となっている他は、前述の第２または第１の実施形態と同様の構成であり、第２および第１の実施形態と同様な部分には同じ符号を付してその説明を省略する。
【００４０】
この第３の実施形態のものは、この空欄の日時表示部３３に後から日時等を印字または記入して使用する。たとえば、その薬の服用開始日から始まった日時をこの日時表示部３３に印字または記入すれば、すべての保持部５が無駄なく使用でき、経済的である。また、所定時間ごとに服用する薬の場合には、服用すべき日付と時刻を計算してこの日時表示部３３に印字または記入すれば、薬の服用を確実に管理できる。
【００４１】
また、図９および図１０には本発明の第４の実施形態を示す。このものは、前述の保持スリット部を単なる切込みではなく、図示するように、ある幅を持った細長い隙間状の保持スリット部４６ａ、４６ｂとしたものである。このものは、前述の実施形態のものと同様に、図１０のようにＰＴＰシート７の両側下隅部をこれらの保持スリット部４６ａ、４６ｂに差し込んで挟持する。この場合に、これらの保持スリット部４６ａ、４６ｂが隙間状であるので、ＰＴＰシート７の両側下隅部を挿入するのが容易である。
【００４２】
さらに、図１１には本発明の第５の実施形態を示す。このものは、近接した２本ずつのスリットが対をなし、４本の保持スリット部５６ａ，５６ｂ，５６ｃ，５６ｄ、が対を構成している。このものは、切断した各種ＰＴＰシートの幅の変化が大きい場合でも挿入可能である。
【００４３】
また、図１２には本発明の第６の実施形態を示す。このものは、一対の保持スリット部６６ａ，６６ｂの下端部が互いに水平のスリット６６ｃにより連結されているもので、これらのスリット６６ａ，６６ｂ，６６ｃは全体としてＵ字状をなしている。このものは、ＰＴＰシート２７の錠剤収容部９がスリット６６ｃに当たるまで深く挿入でき、上下に隣接して保持されるＰＴＰシート２７の間隔を狭くでき、これらのＰＴＰシートの保持に要する面積を小さくできる。
【００４４】
なお、上記の第４ないし第６の実施形態は、前述した部分のほかは前記の第１ないし第３の実施形態と同様の構成であり、これらと同じ部分には同じ符号を付してその説明は省略する。
【００４５】
さらに、本発明は上述の各実施形態には限定されない。たとえば、日時表示部および保持部等の数は８または７には限定されず、任意の数でも良く、またその配列も横一列に限らず、縦方向に配列しても良く、さらに複数段、複数列に配列しても良い。また、各対をなす保持スリット部の近傍にたとえば朝、昼、夕、食前、食後等の服用態様の表示を印刷、印字、または記入しても良い。
【００４６】
また、保持スリット部の形状も上記のものには限定されず、たとえば直線状でなく曲線状でも良い。また、台紙は折り畳むように構成してもよい。また、複数枚の台紙をカレンダー帳のように綴り合わせても良い。また、保持スリット部を左右対称に配置した場合に、台紙の裏面にも日時表示部や保持部等を印刷しても良い。
【００４７】
また、台紙の形状等は上記のような矩形に限定されず、台形、円形、楕円形その他の形状でも良い。また、日時表示部と保持部との関連付けの構成は、上記のように枠線で囲むものには限定されず、たとえば色分け、模様による関連付け、あるいは単なる位置関係で関連付けても良い。
【図面の簡単な説明】
【００４８】
【図１】本発明の第１の実施形態の平面図。
【図２】保持スリット部の部分の平面図。
【図３】ＰＴＰシートを挿入した状態の保持スリット部の平面図。
【図４】第１の実施形態の使用状態を示す平面図。
【図５】本発明の第２の実施形態の平面図。
【図６】ＰＴＰシートを挿入した状態の保持スリット部の平面図。
【図７】第２の実施形態の使用状態を示す平面図。
【図８】本発明の第３の実施形態の平面図。
【図９】本発明の第４の実施形態の保持スリット部の平面図。
【図１０】ＰＴＰシートを挿入した状態の保持スリット部の平面図。
【図１１】本発明の第５の実施形態の保持スリット部の平面図。
【図１２】本発明の第６の実施形態のＰＴＰシートを挿入した状態の保持スリット部の平面図。
【符号の説明】
【００４９】
１  台紙
２  掛け孔
３  日時表示部
４  枠線
５  保持部
６ａ、６ｂ  保持スリット部
７  ＰＴＰシート
８  薄板状の部分
９  錠剤収容部
１０  名称の表示
１１  年の表示
１２  注意事項等の表示
１３  薬局名等の表示
１４  絵柄
２６ａ、２６ｂ  保持スリット部
２７  ＰＴＰシート
３３  日時表示部
４６ａ、４６ｂ  保持スリット部
５６ａ、５６ｂ、５６ｃ、５６ｄ  保持スリット部
６６ａ、６６ｂ  保持スリット部
【図１】
2007202968.tif 000003
【図２】
2007202968.tif 000004
【図３】
2007202968.tif 000005
【図４】
2007202968.tif 000006
【図５】
2007202968.tif 000007
【図６】
2007202968.tif 000008
【図７】
2007202968.tif 000009
【図８】
2007202968.tif 000010
【図９】
2007202968.tif 000011
【図１０】
2007202968.tif 000012
【図１１】
2007202968.tif 000013
【図１２】
2007202968.tif 000014